(57)【要約】【課題】テレビジョンをはじめとする受信装置のチューナにつき、主信号基板への取付けの際の占有面積を低減するよう小型化したい。【解決手段】Ｆ接栓をはじめとするコネクタに対しチューナ基板を直角方向に配置し、チューナ基板からの出力を下方向に出す構造とすることで、前記占有面積を低減する。小型化によりノイズ耐性が向上するので、チューナ基板に対向するシールドケースの一部を除去し、代わりに対向するチューナ基板の表面にグラウンドパターンを設ける。チューナ基板のレイアウトが楽になるよう、Ｆ接栓の芯線を折り曲げチューナ基板の端部で接続するようにする。【選択図】図２
2010200129.tif 000002
【特許請求の範囲】
【請求項１】
受信信号を電力増幅し、周波数変換して出力する受信装置のチューナであって、
前記受信信号を伝送するためのケーブルが接続され、前記受信信号を出力する芯線を有する接栓と、
該接栓に前記ケーブルを挿入する方向に対して直角に配置され、前記電力増幅と周波数変換を含む信号処理を行うチューナ回路が搭載されたチューナ基板と、
該チューナ基板の外部から飛来する電波に対するノイズ耐性を高めるためのシールドケース
を有することを特徴とするチューナ。
【請求項２】
請求項１に記載のチューナにおいて、前記チューナ基板は前記受信信号を電力増幅し周波数変換した後の信号を、前記ケーブルを挿入する方向に対して直角な方向に出力する端子を有することを特徴とするチューナ。
【請求項３】
請求項１に記載のチューナにおいて、前記チューナ基板は前記受信信号を電力増幅し周波数変換した後の信号を処理するための主信号基板に対して、直角な方向に取付けられることを特徴とするチューナ。
【請求項４】
請求項１に記載のチューナにおいて、前記チューナ基板は多層基板であり、前記シールドケースは前記チューナ基板の片面を覆う構造であって、前記チューナ基板の残る片面側から飛来する電波に対しては、前記チューナ基板の残る片面に設けられたグラウンドパターンでシールドすることを特徴とするチューナ。
【請求項５】
請求項１に記載のチューナにおいて、前記接栓の芯線は曲げ加工をされており、前記チューナ基板に対して前記接栓の正面よりも前記基板の端部側へ接続されることを特徴とするチューナ。
【発明の詳細な説明】
【技術分野】
【０００１】
本発明はテレビジョンをはじめとする受信装置のチューナに係わり、特に受信装置の回路基板における占有面積を低減した小型のチューナに関するものである。
【背景技術】
【０００２】
テレビジョンをはじめとする受信装置のチューナにおいては、たとえば特許文献１や特許文献２で示される構造によりモジュール化したものが知られている。双方の図１に示されるように、増幅回路、ミキサ回路、ローカル発振器、フィルタをはじめとする回路部品を搭載したチューナ基板は、アンテナからの高周波信号を供給するケーブルを接続する接栓（アンテナ端子）に対して平行な方向、すなわちケーブルを接栓に挿入する方向と平行する方向に取付けられている。接栓は１０ミリ程度の径を有するが、チューナの奥行と、残る二辺のうち少なくも一辺の長さは接栓の径の３倍以上あるのが一般的である。
【先行技術文献】
【特許文献】
【０００３】
【特許文献１】特開平１０−２１５１４８号公報
【特許文献２】特開２００３−３０４１６２号公報
【発明の概要】
【発明が解決しようとする課題】
【０００４】
受信装置の分野では近年、携帯電話はもちろんテレビジョンにおいても構成要素の小型化の要求が強くなっている。これは装置全体の小型化のための要求だけではなく、たとえばチューナのように高周波信号を処理する構成要素では、実装性能を出し易くするための要求でもある。前記した先行技術文献にとどまることなく、いっそうの小型化をしたチューナの開発を進める必要がある。
本発明の目的はこの課題に鑑み、受信装置の回路基板における占有面積を低減した小型のチューナを提供することにある。
【課題を解決するための手段】
【０００５】
上記目的を達成するため本発明は、受信信号を電力増幅し、周波数変換して出力する受信装置のチューナであって、前記受信信号を伝送するためのケーブルが接続され、前記受信信号を出力する芯線を有する接栓と、該接栓に前記ケーブルを挿入する方向に対して直角に配置され、前記電力増幅と周波数変換を含む信号処理を行うチューナ回路が搭載されたチューナ基板と、該チューナ基板の外部から飛来する電波に対するノイズ耐性を高めるためのシールドケースを有することを特徴としている。
【発明の効果】
【０００６】
本発明によれば、受信装置の回路基板における占有面積を低減した小型のチューナを提供でき、テレビジョンをはじめとする受信装置のいっそうの小型化に寄与できるという効果がある。
【図面の簡単な説明】
【０００７】
【図１】本発明を適用する放送受信装置の一例を示すブロック図である。
【図２】本発明の第１の実施例を示すチューナの透視図である。
【図３】本発明の第２の実施例を示すチューナの透視図である。
【図４】本発明の第３の実施例を示すチューナの透視図である。
【図５】本発明の第４の実施例を示すチューナの透視図である。
【図６】本発明の第５の実施例を示すチューナの透視図である。
【図７】本発明で用いるＦ接栓の外観図である。
【図８】本発明の一実施例を示す芯線を加工したＦ接栓の外観図である。
【図９】本発明の第６の実施例を示すチューナの透視図である。
【発明を実施するための形態】
【０００８】
以下、本発明の実施形態について図面を用いながら説明する。
図１は本発明を適用する放送受信装置の一例を示すブロック図である。これに基づき放送受信装置全体の動作を説明する。
入力端子１００にはアンテナ（図示せず）からの放送電波が供給され、チューナ１０１でユーザが望む放送チャネルが選択される。もちろん衛星放送や地上波放送のみならず、ケーブルテレビの放送を受信しても良い。選択されるチャネルは、ユーザがたとえばリモコン（図示せず）を操作することで選択指令をリモコン受信部１０９に送り、これに基づきＣＰＵ１１０がバス１０８を介してチューナ１０１を制御することで決められる。選択されたチャネルの受信信号は、復調部１０２で伝送のために施された変調方式に応じて復調され、また伝送中に発生した誤りが訂正される。次にデスクランブル部１０３において、必要に応じて放送局で秘匿性を高めるために施された暗号が復号される。
【０００９】
ディジタル放送の場合、一つの放送チャネルには、たとえば３つの番組が時分割多重されているが、前記と同様にユーザのたとえばリモコン操作による指令に応じて、デマルチプレクサ１０４ではユーザが望むスロットの映像コンテンツが選択される。選択された映像コンテンツはＭＰＥＧデコーダ１０５において、放送局で施されたＭＰＥＧ（Moving Picture Experts Group）によるデータ圧縮が解除されて伸張され、表示のための三原色信号となって表示部１０６に与えられる。ユーザは表示部１０６に表示された番組を視聴することができる。
【００１０】
なお、図面の煩雑化を避けるために、音声信号の処理回路やスピーカは省略しているが、当然ながら前記映像コンテンツに伴う音声情報も信号処理されてスピーカへ出力される。またＥＰＧを表示する場合には、放送に伴い逐次受信された番組情報を、たとえばフラッシュメモリ１０７へ蓄積したうえで、全てのチャネルの番組情報を時系列で、所定フォーマットの一覧表形式で表示部１０６へ表示する。ユーザはＥＰＧを見て、希望する番組の視聴予約や録画予約をすることができる。
【００１１】
なお、これらの構成要素のうちチューナ１０１は、受信した高周波の信号を処理する部分であって、増幅回路、ミキサ回路、ローカル発振器、フィルタをはじめとした回路要素を含んでいる。受信した信号を電力増幅し、復調部１０２で処理するに適した周波数帯に変換して出力している。従来は受信した信号よりも低い中間周波数帯に周波数変換して、復調部１０２に供給することが多かったが、最近は直接ベースバンド帯域に変換して復調部に供給するダイレクト変換を用いることが多くなっている。
【００１２】
次に図１のチューナ１０１に関し、図２以下の図面を用いて本発明の一実施例を説明する。図２は本発明の第１の実施例を示すチューナの透視図である。
図２（ａ）の２０１はＵＨＦ帯域以上の信号を授受する際に多用されるＦ接栓である。すなわちＦ接栓の側面側から描いており、アンテナからのケーブル（図示せず）は図の左方向からＦ接栓２０１に接続される。図示したようにＦ接栓２０１は、ケーブル側のコネクタを固定するためのネジを有することが多い。２０２はＦ接栓２０１の芯線であって、チューナ基板２０４に接続され、これにアンテナで受信された信号を供給する。
【００１３】
チューナ基板２０４はここでは側面が見えるように取付けられている。たとえばＦ接栓に近い側の表面には、信号処理を行う回路部品が取付けられており、ここではチューナ処理集積回路２０４２が搭載された例を示している。前記した受信信号の電力増幅、周波数変換やローカル信号発振などは、ここで行われている。もちろん回路部品の一部が反対側の面に搭載されていても良い。図１の復調部１０２で復調処理をするに適した周波数帯に変換された信号は、端子２０５から出力される。
【００１４】
２０３はシールドケースであって、チューナ全体を外部からの妨害電波から遮蔽し、また外部へ不要な電波を放出しないようにしている。ここでは内部を透視できるよう、図面上で手前側の部分を除去した状態で示している。シールドケース２０３のうち、Ｆ接栓２０１の周囲は斜めに傾斜するように描いているが、これは限定条件ではない。この部分をＦ接栓２０１が有するシールドケース２０３への締付け用のナットで構成されていても良い。
【００１５】
図２（ｂ）はチューナ基板２０４と端子２０５を図２（ａ）の左側、すなわちチューナ基板２０４の部品面側から描いたものである。パターン２０４１には芯線２０２が接続される。芯線２０２からの信号はチューナ処理集積回路２０４２で前記したように処理され、端子２０５から出力される。端子２０５は一例としてピン状の端子８個で示したが、これに限定されるものではない。これらの端子を用いて、前記出力信号、電源、グラウンド、制御信号などが授受される。
【００１６】
図２（ｃ）は図２（ａ）のチューナを、テレビジョンなどの受信装置の主信号基板２１０へ取付けた状態を示している。端子２０５は主信号基板２１０のパターン２０５１へ、たとえばハンダ付けされ、電源や信号の授受を行う。図示していないが、主信号基板２１０には図１の復調部１０２以下の各構成要素が搭載されている。
図２（ｄ）は図２（ａ）のチューナを左側から描いたものである。内部を透視できるようにシールドケース２０３の正面部分を除去した状態で示している。
【００１７】
本実施例の特徴の一つは、前記した先行技術文献と異なり、Ｆ接栓２０１にケーブルを挿入する方向（図２（ａ）の左から右方向）に対してチューナ基板２０４が直角に設けられ、チューナ基板２０４に対して端子２０５は主信号基板２１０に向けて下方向に引出されていることである。このため従来のチューナに対して、図２（ａ）のＢで示した長さを大幅に短縮でき、主信号基板２１０におけるチューナの占有面積を低減できる効果がある。
【００１８】
さらに本実施例においては、図２（ａ）のＢで示した長さのみならず、図２（ａ）のＣで示した高さ方向、図２（ｄ）のＤで示した幅方向の長さも、たとえば図２（ａ）における取付け部分を含めたＦ接栓２０１の直径Ａの２倍以内に押さえている。このため従来のチューナのようにチューナモジュールにＦ接栓が取付けられているのではなく、Ｆ接栓がチューナを内蔵している形となることに特徴がある。前記したように直角に設けられたチューナ基板２０４の大きさを意識することなく実装でき、実装時の占有面積の低減をすることができる。
【００１９】
チューナ回路を小型のチューナ基板２０４に全て実装できる背景には、１チップ集積回路（図２（ｂ）のチューナ処理集積回路２０４２）の適用のほか、前記したようにダイレクト変換の適用により、大型のフィルタ（図示せず）を少なくできることもある。今後はさらに、集積回路やＳＡＷ（Surface Acoustic Wave）フィルタをベアチップで実装するなどして、チューナをほぼＦ接栓の大きさに納めることも考えられる。この場合にも前記したような、ケーブルを挿入する方向に対してチューナ基板２０４が垂直に設けられた構造は、占有面積低減のために有効である。
【００２０】
このほかチューナの小型化による効果には、実装性能を出し易くなることがある。小型である以上、一般には外部からの電波に対するノイズ耐性は強くなるためである。これに関しては後に改めて述べる。
図２においてチューナ基板２０４はシールドケース２０３に上下で接触し、前者のグラウンドを後者に接続することを可能にしているが、これは限定条件ではなく、接触していなくとも良い。
【００２１】
次に、図２とは異なる本発明の一実施例を説明する。図３は本発明の第２の実施例を示すチューナの透視図である。
ここでは図２とは異なり、端子２０５がチューナ基板２０４の両側に４本ずつ設けられている。最近ではチューナ基板２０４には多層基板を用いる場合が多いが、端子２０５を両面から出すことでレイアウトの自由度が増し、主信号基板２１０への取付け強度も強くできる。このほかは図２と同様であるので、説明を省略する。
【００２２】
さらに図３とは異なる本発明の一実施例を説明する。図４は本発明の第３の実施例を示すチューナの透視図である。
ここでは図３とは異なり、チューナ基板２０４の一部がシールドケース２０３の外へ突出しており、ピン状の端子２０５は用いられていない。代わりにチューナ基板２０４にはパターン２０５２が４個（図示しない裏側にも４個）設けられ、また図４（ｄ）で示すように主信号基板２１０には貫通孔２１０１の周囲にパターン２１０２が８個設けられている。図４（ｃ）に示すようにチューナ基板２０４の一部が貫通孔２１０１を貫通して搭載され、前記パターン同士でハンダ付けするなどして、固定されるようにしている。もちろんこの場合も、図３と同様にピン状の端子２０５で接続することもできるし、図２と同様に端子をチューナ基板２０４の片面だけに設けることもできる。
【００２３】
さらに図３とは異なる本発明の一実施例を説明する。図５は本発明の第４の実施例を示すチューナの透視図である。
前記したように本実施例ではチューナの小型化により、外来ノイズに対する耐性を向上することができる。このため、シールドケース２０３の一部を省略できる場合がある。図５においてはＦ接栓２０１とは反対側（図中で右側）の面のシールドケースを除去し、代わりにチューナ基板２０４の表面（図中で右側）を可能な範囲で、グラウンドパターン２０４３で埋めることで外来ノイズに対する遮蔽効果を持たせている。一般にグラウンドパターン２０４３の遮蔽効果はシールドケース２０３よりも小さい場合が多いが、本実施例では小型化によりノイズ耐性が強くなっているので、グラウンドパターン２０４３の効果で充分な場合もある。
【００２４】
次に、前記例とはさらに異なる本発明の一実施例を説明する。図６は本発明の第５の実施例を示すチューナの透視図である。
ここまでチューナ基板２０４でのパターン２０４１は、Ｆ接栓２０１の中心位置に位置する例を示した。しかし一般には、基板に対する入力信号を供給する場所は、出力信号端子２０５の反対側の一端に位置する方が、基板上のレイアウトを行い易く、基板の小型化にもつながる。図６ではパターン２０４１を図面上で上側の一端に位置させ、Ｆ接栓２０１の芯線２０２を折り曲げて接続するようにしている。このほかは図３と同様である。
【００２５】
Ｆ接栓２０１と芯線２０２について図７と図８を用いて説明する。芯線２０２は平角線を用いることが多い。芯線２０２の面積が広く見える側からの図を図７（ａ）とすれば、この状態から９０度回転させた状態は、図７（ｂ）のようになる。図７（ｂ）の状態から芯線２０２を折り曲げ加工して、図８（ａ）ないし図８（ｂ）のようにして図６の実施例に適用する。図６は図８（ａ）の形状を使用している。
【００２６】
次に、図６とは異なる本発明の一実施例を説明する。図９は本発明の第６の実施例を示すチューナの透視図である。
図９は、パターン２０４１が図中で上側のたとえば右寄りに位置する方が、チューナ処理集積回路２０４２に受信信号を供給するうえで便利な場合に適用される。図８（ａ）のように芯線２０２を加工したうえで、Ｆ接栓２０１を右に約４５度回転して取付けることとなる。このため透視図において芯線２０２は、これまでの実施例と比較し太く描かれている。
【００２７】
図５、図６、図９において、端子２０５につき図３と同様なものを使用する例を示したが、これは一例であって、たとえば図２や図４で示した例を適用しても良い。
ここまでの例では、図１の復調部１０２はチューナ基板２０４ではなく、主信号基板２１０に設けられるものとして説明した。しかし今後は復調部１０２までチューナ基板２０４に搭載し、端子２０５ないしパターン２０５２には復調後のＴＳ（Transport Stream）信号を出力することも考えられる。この場合も本発明の範疇にある。すなわち、本実施例において受信信号を電力増幅し周波数変換して出力した後の信号とは、このＴＳ信号も含むものである。
なお、以上の実施形態はあくまで一例であり、本発明はこれに限定されるものではない。コネクタとしてＦ接栓を用いるものに適用を限定するものではなく、テレビジョンのチューナに限定するものでもない。さらに多くの異なる実施形態が考えられるが、いずれも本発明の範疇にある。
【符号の説明】
【００２８】
１０１：チューナ、２０１：Ｆ接栓、２０２：芯線、２０３：シールドケース、２０４：チューナ基板、２０５：端子。
【図１】
2010200129.tif 000003
【図２】
2010200129.tif 000004
【図３】
2010200129.tif 000005
【図４】
2010200129.tif 000006
【図５】
2010200129.tif 000007
【図６】
2010200129.tif 000008
【図７】
2010200129.tif 000009
【図８】
2010200129.tif 000010
【図９】
2010200129.tif 000011